(57)【要約】      （修正有）【課題】矯正対象者が着座したままの状態で、座面部を任意な左右方向に傾斜させることが可能な腰椎および胸椎の矯正椅子を提供する。【解決手段】左右方向の傾斜機能を付設した座面部２１を有して成る座部２０の前方に、矯正対象者の体勢保持部１０を配設した形状の椅子本体１と、椅子本体１の後方床面に配置されたフットスイッチ２と、座部２０とフットスイッチ２の間に介在する電動モータ３とを備えた構成とする。【選択図】図１
0003215734.tif 000002
【実用新案登録請求の範囲】
【請求項１】
大略倒コ字状に形成した支持枠の上部に、左右方向の傾斜機能を付設した座面部を取付けて座部を形成するとともに、その座部の前方に矯正対象者の体勢保持部を配設した形状の椅子本体と、該椅子本体の後方床面に配置されたフットスイッチと、前記座部とフットスイッチの間に介在する電動モータとを備えた矯正椅子であって、前記した左右方向の傾斜機能を、座面部の前後に取付けた支軸を支点として、座面部を上下方向に回動可能に構成したことを特徴とする腰椎等の矯正椅子。
【請求項２】
上記したフットスイッチに右スイッチと左スイッチを設け、それぞれのスイッチ側の座面部が上方に位置するように傾斜させることを特徴とする請求項１に記載の腰椎等の矯正椅子。
【考案の詳細な説明】
【技術分野】
【０００１】  本考案は、腰椎や胸椎等の骨のズレや歪みを矯正するための椅子に係るものであり、さらに詳しくは、矯正対象者の症状に応じて、座面部の中央より左側が高位で右側が低位または座面部の中央より右側が高位で左側が低位に位置するように、座面部を任意な左右方向へ傾斜状に設定する機能（これを左右方向の傾斜機能と称する）を備えた腰椎等の矯正椅子に関するものである。
【背景技術】
【０００２】  従来から提供されている人体各部の矯正椅子としては、骨盤の歪みを矯正するために骨盤部分を左右から押圧するとともに、椅子本体を前後方向に角度調整可能に設けた構造の骨盤矯正椅子がある（特許文献１参照）。また背板の接合部分を中心として、背面方向に倒れる構造に設けた脊椎矯正椅子も提案されている（特許文献２参照）。【０００３】  上記した特許文献１および特許文献２の発明は、いずれも矯正対象者が着座した状態の背もたれ部を、前後方向に倒すように構成されているもので、矯正対象者が着座した状態の座面部を、左右方向へ傾斜状に設定する形態の椅子は提供されていなかった。【０００４】  そこで、従来では、例えば矯正対象者の椎骨等が左右方向へ傾いた状態の矯正対策として、座面部が水平状に固定された矯正椅子を使用し、椎骨等が下がっている側の坐骨の下に、別途に用意した座板を差し込んで矯正するようにしていた。【０００５】  しかしながら、ぎっくり腰や腰痛の症状を改善したい矯正対象者にとっては、いったん着座した後に再び立ち上がって中腰になる行為は、激痛を伴うので耐え難いという大きな問題点があった。
【先行技術文献】
【特許文献】
【０００６】
【特許文献１】特開２００９−２１９号公報
【特許文献２】特開２０１０−１７５０５号公報
【考案の概要】
【考案が解決しようとする課題】
【０００７】  本考案は上記した問題点を解消するために考案されたもので、矯正対象者が着座したままの状態で、座面部を任意な左右方向に傾斜させることが可能な腰椎等の矯正椅子を提供しようとするものである。
【課題を解決するための手段】
【０００８】  上記の課題を解決するため、本考案は以下のような技術的手段を講ずるものである。
すなわち請求項１に記載の本考案は、大略倒コ字状に形成した支持枠の上部に、左右方向の傾斜機能を付設した座面部を取付けて座部を形成するとともに、その座部の前方に矯正対象者の体勢保持部を配設した形状の椅子本体と、該椅子本体の後方床面に配置されたフットスイッチと、前記座部とフットスイッチの間に介在する電動モータとを備えた矯正椅子であって、前記した左右方向の傾斜機能を、座面部の前後に取付けた支軸を支点として、座面部を上下方向に回動可能に構成して成ることを特徴とする腰椎等の矯正椅子である。【０００９】  また請求項２に記載の本考案は、上記したフットスイッチに右スイッチと左スイッチを設け、それぞれのスイッチ側の座面部が上方に位置するように傾斜させることを特徴とする請求項１に記載の腰椎等の矯正椅子である。【００１０】  上記のように構成された本考案に成る腰椎等の矯正椅子は、以下のように使用するものである。
すなわち、本考案は座面部を左右いずれかの任意な方向に傾斜させることが可能になっているので、例えば矯正対象者の腰椎等が右下がりの場合は、フットスイッチの右スイッチを操作して、座面部の中心より右側を上昇（左側を下降）させるようにし、また逆の場合はフットスイッチの左スイッチを操作して座面部の中心より左側を上昇（右側を下降）させるようにして使用するもので、その結果、以下に述べるような様々な効果を発揮するものである。
【考案の効果】
【００１１】  上述したように、従来では矯正対象者の症状に応じて、必要な側の坐骨の下に別途に準備した座板を挿入するようにしていたので、着座した後に再び腰を上げることによる矯正対象者の身体的負担が極めて大きかったが、そうした不都合を解消した本考案の提供により、矯正対象者に不必要な苦痛を与えることがないばかりでなく、一人の矯正対象者に掛ける手間や時間も短縮することができるという顕著な効果を奏するものである。【００１２】  また本考案は、フットスイッチにおける左右いずれかのスイッチを選択するのみで、座面部が所定の傾斜状になるように構成されているので、操作が非常に容易であるという長所があり、さらには、構造が簡単なために安価に製造できるという利点もある。
【図面の簡単な説明】
【００１３】
【図１】本考案に成る腰椎等の矯正椅子を後方から見た状態の斜視図である。
【図２】座部の構造を示す側面図である。
【図３】座面部に付設された左右方向の傾斜機能を示す要部背面図である。
【図４】本考案の使用例を示すもので、矯正が必要な椎骨の概略図である。
【図５】従来の矯正状態を示す説明図である。
【図６】本考案の矯正椅子の使用状態を示す一部省略背面図である。
【考案を実施するための形態】
【００１４】  以下に、この考案の一実施形態を図面に基づいて説明するが、本考案の矯正椅子は、主として、その座面部２１に左右方向の傾斜機能が付設された形状の椅子本体１と、該椅子本体１の後方床面に配置されたフットスイッチ２と、椅子本体１とフットスイッチ２の間に介在する電動モータ３とを備えて成るものであり、また前記椅子本体１は、矯正対象者の体勢保持部（以下、保持部と略称する）１０と、保持部１０とは分離して配置された座部２０が、脚部３０によって支持された構成となっている。
【００１５】  上記した保持部１０は、図１に示すように、大略方形状に形成された胸当て１１の上部に、２個一対の顔入れ用小枕１３を立設し、且つ胸当て１１の左右方向に手置台１２を突設した形状となっているもので、矯正対象者が腰椎等の歪みの矯正を受ける場合に、顔入れ用小枕１３の間に顔を差し入れると同時に胸当て１１に胸を密着させ、さらには手置台１２に手を置いて、歪みの矯正時における矯正対象者の体勢が崩れることを防止するように設けられたものである。
【００１６】  次に、図１および図２を参照して、座部２０について説明する。
座部２０は、この座部の主体を成す座面部２１を大略倒コ字状に形成された支持枠２４で支持した形状であるが、この座部２０は、通常の椅子と同様な水平状に設置してもよいが、その全体がやや前方に傾いた状態に設置するとさらに好適である。
【００１７】  前記した座面部２１は、一般的な椅子とほぼ同様な形状で、滑りにくいレザーなどを用いて形成されており、その下面には底板２２が固着されている。該底板２２の前後の端部は上方に向けてほぼ直角状に折り曲げられており、その前後の折り曲げ部の中央は、図示のように、後述する支持枠２４の縦板上部とほぼ同じ形状の略半円状に形成されている。
【００１８】  また上記した座面部２１を支持するための支持枠２４は、後述する支軸２３を取付けた形状の縦板と、その縦板間に水平状に差し渡された横桟とにより大略倒コ字状に形成されたものである。なお該支持枠２４の縦板の上部形状は図示のような略半円状で、下部形状は略長方形状に形成されるものとし、また上述した座面部２１と支持枠２４は別体に設けられているので、座面部２１を左右方向の傾斜状に設定する場合は、底板付の座面部２１のみが回動するようになっているのである。
【００１９】  続いて、図２および図３に基いて座部２０の座面部２１に付与された左右方向の傾斜機能について説明する。
図２に示すように、座面部２１の前後の中央には底板の折り曲げ部を介して支軸２３が取付けられているので、図３に示すように、座面部２１は該支軸２３を支点として上下方向に回動可能に構成されており、またこの上下方向への回動動作は、フットスイッチ２の操作によって電動モータ３が作動して行われるものである。なおこの座面部２１の上下方向への回動角度は極端に大きなものではなく、座面部２１の両端部が、水平状態からほぼ３ｃｍ〜４ｃｍ程度の上昇または下降するように形成されている。
【００２０】  次に、脚部３０は、図１に示すように、ほぼＨ状に形成された基枠３１の前後２か所にそれぞれ支柱を立設して成るもので、その前部支柱３２の上面に保持部１０の胸当て１１が取付けられ、また後部支柱３３の上面には座部２０の支持枠２４が取付けられている。なお後部支柱３３は、座部２０のやや後方位置に配置されていて、筋違い状の補強棒３４によって補強された構造となっている。
【００２１】  前記フットスイッチ２は、図１に示すように、椅子本体１の後方床面における基枠３１に密着した状態で配置されており、また右スイッチ２Ａおよび左スイッチ２Ｂは、足で操作しても差し支えない大きさと間隔が付与されるものとする。なお電動モータ３は、作業の邪魔にならないように、座部２０の下側に寄せて設置されるものである。
【００２２】  次に、図４〜図６に基いて本考案を用いた腰椎等の歪みの矯正方法について説明する。
図４は、人Ｈの椎骨Ｔが正常ではなく、右端の腰椎５番が骨盤Ｋの方に下がり、左端の腰椎５番が上方にズレている状態を示すもので、この左右の腰椎５番が同一平面上に並ぶように矯正するものである。
【００２３】  なお、従来の矯正方法は、図５に示すように、右側の坐骨と座面部２１の間に座板４を挿入するものであるが、これには前述のような大きな欠点があるので、本考案の腰椎等の矯正椅子が使用されるのである。
【００２４】  本考案の腰椎等の矯正椅子を使用して上述のような症状を矯正する場合は、まず矯正対象者を座面部２１に着座させると同時に保持部１０によって体勢を保持させた後、フットスイッチ２の右スイッチ２Ａを操作して電動モータ３を作動させ、図６に示すように、座面部２１の中心より右側が上方に位置するように設定する。すると右端の腰椎５番が上昇し左端の腰椎５番が下降するので、ポインターなどと称せられる押圧具を使って左側の肋骨突起に押圧力を加えるようにして矯正するのである。
【００２５】  本考案は、以上のように構成され、また上述のような方法で使用することにより、腰椎や胸椎その他の椎骨等のズレや歪みを矯正するための矯正椅子を提供しようとするものである。
【符号の説明】
【００２６】  １  椅子本体
２  フットスイッチ
２Ａ  右スイッチ
２Ｂ  左スイッチ
３  電動モータ
１０  矯正対象者の体勢保持部
１１  胸当て
１２  手置台
１３  顔入れ用小枕
２０  座部
２１  座面部
２２  底板
２３  支軸
２４  支持枠
３０  脚部
３１  基枠
３２  前部支柱
３３  後部支柱
３４  補強棒
【図１】
0003215734.tif 000003
【図２】
0003215734.tif 000004
【図３】
0003215734.tif 000005
【図４】
0003215734.tif 000006
【図５】
0003215734.tif 000007
【図６】
0003215734.tif 000008
【手続補正書】
【提出日】平成30年1月24日(2018.1.24)
【手続補正１】
【補正対象書類名】実用新案登録請求の範囲
【補正対象項目名】全文
【補正方法】変更
【補正の内容】
【実用新案登録請求の範囲】
【請求項１】
大略倒コ字状に形成した支持枠の上部に、左右方向の傾斜機能を付設した座面部を取付けて座部を形成するとともに、その座部の前方に矯正対象者の体勢保持部を配設した形状の椅子本体と、該椅子本体の後方床面に配置されたフットスイッチと、前記座部とフットスイッチの間に介在する電動モータとを備えた矯正椅子であって、前記した左右方向の傾斜機能を、座面部の前後に取付けた支軸を支点として、座面部を上下方向に回動可能に構成したことを特徴とする腰椎および胸椎の矯正椅子。
【請求項２】
上記したフットスイッチに右スイッチと左スイッチを設け、それぞれのスイッチ側の座面部が上方に位置するように傾斜させることを特徴とする請求項１に記載の腰椎および胸椎の矯正椅子。
【手続補正２】
【補正対象書類名】明細書
【補正対象項目名】全文
【補正方法】変更
【補正の内容】
【考案の詳細な説明】
【技術分野】
【０００１】  本考案は、腰椎や胸椎の骨のズレや歪みを矯正するための椅子に係るものであり、さらに詳しくは、矯正対象者の症状に応じて、座面部の中央より左側が高位で右側が低位または座面部の中央より右側が高位で左側が低位に位置するように、座面部を任意な左右方向へ傾斜状に設定する機能（これを左右方向の傾斜機能と称する）を備えた腰椎および胸椎の矯正椅子に関するものである。
【背景技術】
【０００２】  従来から提供されている人体各部の矯正椅子としては、骨盤の歪みを矯正するために骨盤部分を左右から押圧するとともに、椅子本体を前後方向に角度調整可能に設けた構造の骨盤矯正椅子がある（特許文献１参照）。また背板の接合部分を中心として、背面方向に倒れる構造に設けた脊椎矯正椅子も提案されている（特許文献２参照）。【０００３】  上記した特許文献１および特許文献２の発明は、いずれも矯正対象者が着座した状態の背もたれ部を、前後方向に倒すように構成されているもので、矯正対象者が着座した状態の座面部を、左右方向へ傾斜状に設定する形態の椅子は提供されていなかった。【０００４】  そこで、従来では、例えば矯正対象者の椎骨等が左右方向へ傾いた状態の矯正対策として、座面部が水平状に固定された矯正椅子を使用し、椎骨等が下がっている側の坐骨の下に、別途に用意した座板を差し込んで矯正するようにしていた。【０００５】  しかしながら、ぎっくり腰や腰痛の症状を改善したい矯正対象者にとっては、いったん着座した後に再び立ち上がって中腰になる行為は、激痛を伴うので耐え難いという大きな問題点があった。
【先行技術文献】
【特許文献】
【０００６】
【特許文献１】特開２００９−２１９号公報
【特許文献２】特開２０１０−１７５０５号公報
【考案の概要】
【考案が解決しようとする課題】
【０００７】  本考案は上記した問題点を解消するために考案されたもので、矯正対象者が着座したままの状態で、座面部を任意な左右方向に傾斜させることが可能な腰椎および胸椎の矯正椅子を提供しようとするものである。
【課題を解決するための手段】
【０００８】  上記の課題を解決するため、本考案は以下のような技術的手段を講ずるものである。
すなわち請求項１に記載の本考案は、大略倒コ字状に形成した支持枠の上部に、左右方向の傾斜機能を付設した座面部を取付けて座部を形成するとともに、その座部の前方に矯正対象者の体勢保持部を配設した形状の椅子本体と、該椅子本体の後方床面に配置されたフットスイッチと、前記座部とフットスイッチの間に介在する電動モータとを備えた矯正椅子であって、前記した左右方向の傾斜機能を、座面部の前後に取付けた支軸を支点として、座面部を上下方向に回動可能に構成して成ることを特徴とする腰椎および胸椎の矯正椅子である。【０００９】  また請求項２に記載の本考案は、上記したフットスイッチに右スイッチと左スイッチを設け、それぞれのスイッチ側の座面部が上方に位置するように傾斜させることを特徴とする請求項１に記載の腰椎および胸椎の矯正椅子である。【００１０】  上記のように構成された本考案に成る腰椎および胸椎の矯正椅子は、以下のように使用するものである。
すなわち、本考案は座面部を左右いずれかの任意な方向に傾斜させることが可能になっているので、例えば矯正対象者の腰椎および胸椎が右下がりの場合は、フットスイッチの右スイッチを操作して、座面部の中心より右側を上昇（左側を下降）させるようにし、また逆の場合はフットスイッチの左スイッチを操作して座面部の中心より左側を上昇（右側を下降）させるようにして使用するもので、その結果、以下に述べるような様々な効果を発揮するものである。
【考案の効果】
【００１１】  上述したように、従来では矯正対象者の症状に応じて、必要な側の坐骨の下に別途に準備した座板を挿入するようにしていたので、着座した後に再び腰を上げることによる矯正対象者の身体的負担が極めて大きかったが、そうした不都合を解消した本考案の提供により、矯正対象者に不必要な苦痛を与えることがないばかりでなく、一人の矯正対象者に掛ける手間や時間も短縮することができるという顕著な効果を奏するものである。【００１２】  また本考案は、フットスイッチにおける左右いずれかのスイッチを選択するのみで、座面部が所定の傾斜状になるように構成されているので、操作が非常に容易であるという長所があり、さらには、構造が簡単なために安価に製造できるという利点もある。
【図面の簡単な説明】
【００１３】
【図１】本考案の腰椎および胸椎の矯正椅子を後方から見た状態の斜視図である。
【図２】座部の構造を示す側面図である。
【図３】座面部に付設された左右方向の傾斜機能を示す要部背面図である。
【図４】本考案の使用例を示すもので、矯正が必要な椎骨の概略図である。
【図５】従来の矯正状態を示す説明図である。
【図６】本考案の矯正椅子の使用状態を示す一部省略背面図である。
【考案を実施するための形態】
【００１４】  以下に、この考案の一実施形態を、腰椎を矯正する場合を例として図面に基づいて説明するが、本考案の矯正椅子は、主として、その座面部２１に左右方向の傾斜機能が付設された形状の椅子本体１と、該椅子本体１の後方床面に配置されたフットスイッチ２と、椅子本体１とフットスイッチ２の間に介在する電動モータ３とを備えて成るものであり、また前記椅子本体１は、矯正対象者の体勢保持部（以下、保持部と略称する）１０と、保持部１０とは分離して配置された座部２０が、脚部３０によって支持された構成となっている。
【００１５】  上記した保持部１０は、図１に示すように、大略方形状に形成された胸当て１１の上部に、２個一対の顔入れ用小枕１３を立設し、且つ胸当て１１の左右方向に手置台１２を突設した形状となっているもので、矯正対象者が腰椎の歪みの矯正を受ける場合に、顔入れ用小枕１３の間に顔を差し入れると同時に胸当て１１に胸を密着させ、さらには手置台１２に手を置いて、歪みの矯正時における矯正対象者の体勢が崩れることを防止するように設けられたものである。
【００１６】  次に、図１および図２を参照して、座部２０について説明する。
座部２０は、この座部の主体を成す座面部２１を大略倒コ字状に形成された支持枠２４で支持した形状であるが、この座部２０は、通常の椅子と同様な水平状に設置してもよいが、その全体がやや前方に傾いた状態に設置するとさらに好適である。
【００１７】  前記した座面部２１は、一般的な椅子とほぼ同様な形状で、滑りにくいレザーなどを用いて形成されており、その下面には底板２２が固着されている。該底板２２の前後の端部は上方に向けてほぼ直角状に折り曲げられており、その前後の折り曲げ部の中央は、図示のように、後述する支持枠２４の縦板上部とほぼ同じ形状の略半円状に形成されている。
【００１８】  また上記した座面部２１を支持するための支持枠２４は、後述する支軸２３を取付けた形状の縦板と、その縦板間に水平状に差し渡された横桟とにより大略倒コ字状に形成されたものである。なお該支持枠２４の縦板の上部形状は図示のような略半円状で、下部形状は略長方形状に形成されるものとし、また上述した座面部２１と支持枠２４は別体に設けられているので、座面部２１を左右方向の傾斜状に設定する場合は、底板付の座面部２１のみが回動するようになっているのである。
【００１９】  続いて、図２および図３に基いて座部２０の座面部２１に付与された左右方向の傾斜機能について説明する。
図２に示すように、座面部２１の前後の中央には底板の折り曲げ部を介して支軸２３が取付けられているので、図３に示すように、座面部２１は該支軸２３を支点として上下方向に回動可能に構成されており、またこの上下方向への回動動作は、フットスイッチ２の操作によって電動モータ３が作動して行われるものである。なおこの座面部２１の上下方向への回動角度は極端に大きなものではなく、座面部２１の両端部が、水平状態からほぼ３ｃｍ〜４ｃｍ程度の上昇または下降するように形成されている。
【００２０】  次に、脚部３０は、図１に示すように、ほぼＨ状に形成された基枠３１の前後２か所にそれぞれ支柱を立設して成るもので、その前部支柱３２の上面に保持部１０の胸当て１１が取付けられ、また後部支柱３３の上面には座部２０の支持枠２４が取付けられている。なお後部支柱３３は、座部２０のやや後方位置に配置されていて、筋違い状の補強棒３４によって補強された構造となっている。
【００２１】  前記フットスイッチ２は、図１に示すように、椅子本体１の後方床面における基枠３１に密着した状態で配置されており、また右スイッチ２Ａおよび左スイッチ２Ｂは、足で操作しても差し支えない大きさと間隔が付与されるものとする。なお電動モータ３は、作業の邪魔にならないように、座部２０の下側に寄せて設置されるものである。
【００２２】  次に、図４〜図６に基いて本考案を用いた腰椎の歪みの矯正方法について説明する。
図４は、人Ｈの椎骨Ｔが正常ではなく、右端の腰椎５番が骨盤Ｋの方に下がり、左端の腰椎５番が上方にズレている状態を示すもので、この左右の腰椎５番が同一平面上に並ぶように矯正するものである。
【００２３】  なお、従来の矯正方法は、図５に示すように、右側の坐骨と座面部２１の間に座板４を挿入するものであるが、これには前述のような大きな欠点があるので、本考案の腰椎および胸椎の矯正椅子が使用されるのである。
【００２４】  本考案において、腰椎および胸椎の矯正椅子を使用して上述のような症状を矯正する場合は、まず矯正対象者を座面部２１に着座させると同時に保持部１０によって体勢を保持させた後、フットスイッチ２の右スイッチ２Ａを操作して電動モータ３を作動させ、図６に示すように、座面部２１の中心より右側が上方に位置するように設定する。すると右端の腰椎５番が上昇し左端の腰椎５番が下降するので、ポインターなどと称せられる押圧具を使って左側の肋骨突起に押圧力を加えるようにして矯正するのである。
【００２５】  本考案は、以上のように構成され、また上述のような方法で使用することにより、腰椎や胸椎のズレや歪み、あるいはその他の椎骨のズレや歪みを矯正するための矯正椅子を提供しようとするものである。
【符号の説明】
【００２６】        １  椅子本体
２  フットスイッチ
２Ａ  右スイッチ
２Ｂ  左スイッチ
３  電動モータ
１０  矯正対象者の体勢保持部
１１  胸当て
１２  手置台
１３  顔入れ用小枕
２０  座部
２１  座面部
２２  底板
２３  支軸
２４  支持枠
３０  脚部
３１  基枠
３２  前部支柱
３３  後部支柱
３４  補強棒